(57)【要約】【課題】センサ本体の形状に制約が無いという非接触型の特長を生かしつつ、生活雑音の影響を受けず、またカーテンの有無に左右されることが無いガラス破壊検知器を提供することにある。【解決手段】センサ本体１は窓ガラス３の近傍で且つ窓ガラス３に対して非接触となるように窓体３の出合い框３ａに取り付けられ、側面に設けたマイクロフォン１１で窓ガラス３の破壊時の音を捉えるようになっており、内部にはマイクロフォン１１で電気的に変換して得られた音信号中、ガラス破壊時の周波数成分の信号レベルが一定値を越えたときにガラス破壊を検知する回路を備え、検知時には圧電ブザー１５ａを駆動して警報を発し、表示用ＬＥＤ１５ｂを点灯或いは点滅させて表示する。【選択図】図１
2005078499.tif 000002
【特許請求の範囲】
【請求項１】
造営物の壁面に形成された窓開口部を含む面内に位置するとともに、前記窓開口部に配設される窓ガラスの近傍で且つ前記窓ガラス以外の部位に設置されるセンサ本体に、設置位置から前記窓ガラス方向に指向性を持たせた集音手段と、該集音手段で集音して得られた音信号からガラス破壊時に発生する特有の音信号を検知する検知手段とを具備していることを特徴とするガラス破壊検知器。
【請求項２】
前記窓開口部には引き違い戸型の窓体が２枚嵌められ、前記センサ本体の設置位置が窓開口部を左右に二分する中心線上にあり、前記集音手段が左右両側方向に指向性を持つものであることを特徴とする請求項１記載のガラス破壊検知器。
【請求項３】
前記検知手段の検知信号を無線信号で発信する無線発信手段を前記センサ本体に具備していることを特徴とする請求項２記載のガラス破壊検知器。
【請求項４】
前記集音手段で集音された音信号から設置場所周囲の音環境を監視し、前記検知手段の検知レベルを前記音環境に基づいて更新設定するモニタ手段をセンサ本体に備えていることを特徴とする請求項１乃至３の何れか記載のガラス破壊検知器。
【請求項５】
前記集音手段及び検知手段を内蔵した前記センサ本体と、使用形態に応じた機能を備えている複数種の機能モジュールとからなり、使用形態に応じた機能モジュールを選択して機械的電気的に着脱自在に前記センサ本体に結合して成ることを特徴とする請求項１，２，４の何れか記載のガラス破壊検知器。
【請求項６】
前記検知手段に、前記窓体に付設されるクレセント錠の施錠／解錠状態を検知するクレセントセンサの検知出力を取り込んで侵入者検知を行う検知機能を備えていることを特徴とする請求項１乃至５の何れか記載のガラス破壊検知器。
【請求項７】
前記検知手段に、前記窓体の開閉状態を検知する窓開閉センサの検知出力を取り込んで侵入者検知を行う検知機能を備えていることを特徴とする請求項１乃至５の何れか記載のガラス破壊検知器。
【請求項８】
前記検知手段に、前記窓体に付設されるクレセント錠の施錠／解錠状態を検知するクレセントセンサの検知出力と、前記窓体の開閉状態を検知する窓開閉センサの検知出力とを取り込んで各検知出力に基づいて侵入者検知を行う検知機能を備えていることを特徴とする請求項１乃至５の何れか記載のガラス破壊検知器。
【請求項９】
前記クレセントセンサの施錠状態を示す検知出力若しくは前記窓開閉センサの窓体が閉じられていることを示す検知出力又は両センサの前記検知出力があるとき、ガラス破壊検知の動作を開始させる手段を備えていることを特徴とする請求項８記載のガラス破壊検知器。
【発明の詳細な説明】
【技術分野】
【０００１】
本発明は、窓体の窓ガラスに対して非接触に設置され、窓ガラスの破壊時の音によって窓ガラスの破壊を検知するガラス破壊検知器に関するものである。
【背景技術】
【０００２】
従来、ガラス破壊検知器には、窓ガラスに直接貼り付けて使用される接触型のガラス破壊検知器（特許文献１）と、窓ガラスから離れた壁や天井などの造営物に設置する非接触型のガラス破壊検知器（特許文献２）とがある。
【０００３】
前者の接触型のガラス破壊検知器は、圧電素子を用いてガラスが割れたときの特有の振動を検知するものであり、非接触型ガラス破壊検知器は、マイクロフォンのような集音手段を用い、ガラスが割れたときに発生する特有の振動を検知するものである。
【特許文献１】特開２０００−４８２６８号公報（段落番号００３２）
【特許文献２】特開平６−３３７９９２号公報（図１及び段落番号００２５乃至段落番号００２８）
【発明の開示】
【発明が解決しようとする課題】
【０００４】
ところで上述の接触型のガラス破壊検知器の場合には、１枚の窓ガラスに対して少なくとも１個必要となり、例えば引き違い戸型窓体を用いる窓の場合には２個以上必要となる。そして検知信号を無線信号で発信する無線発信手段を備えている高価なガラス破壊検知器の場合、全体の設置費が高額になるという課題があった。しかも窓ガラスに直接貼り付けるため、有線式で検知信号を発信させる場合には、はめ殺しの窓などにしか対応できず、設置対象が限定されるという課題があった。また引き違い戸型の窓体に設置する場合には、上述のような無線発信手段を用いることになって、上記のような課題があり、また窓体の開閉に支障を与えないために薄型でなければならなかった。また窓ガラスの表面に凹凸がある場合貼り付けることができず、使用できる窓ガラスが限定されるという課題があった。
【０００５】
一方後者の非接触型のガラス破壊検知器の場合には、一つで複数のガラス窓を検知対象とすることができ、また窓ガラスに直接貼り付けないため接触型のガラス破壊検知器のいような課題は無いが、設置場所の周囲で発生する生活雑音による誤動作の可能性や、検知対象の窓ガラスと、設置場所との間にカーテンやブラインドが存在している場合、窓ガラスが破壊されても音が集音されず、検知できないという課題があった。
【０００６】
本発明は、上記の課題に鑑みて為されたもので、その目的とするところはセンサ本体の形状に制約が無いという非接触型の特長を生かしつつ、生活雑音の影響を受けず、またカーテンの有無に左右されることが無いガラス破壊検知器を提供することにある。
【課題を解決するための手段】
【０００７】
上述の目的を達成するために、請求項１の発明では、造営物の壁面に形成された窓開口部を含む面内に位置するとともに、前記窓開口部に配設される窓ガラスの近傍で且つ前記窓ガラス以外の部位に設置されるセンサ本体に、設置位置から前記窓ガラス方向に指向性を持たせた集音手段と、該集音手段で集音して得られた音信号からガラス破壊時に発生する特有の音信号を検知する検知手段とを具備していることを特徴とする。
【０００８】
請求項１の発明によれば、センサ本体を直接窓ガラスに貼り付けないため、窓体を窓開口部に嵌め殺す窓や、引き違い戸型の窓体を窓開口部に嵌めた窓など窓の種類によるセンサ本体の形状制約が無く、しかも窓ガラス近傍に設置するためガラス破壊の検知感度を高くする必要がなくなり、そのため生活雑音の影響を受けないガラス破壊検知ができ、またカーテンの位置より窓側で設置することになるため、カーテンの有無に左右されないガラス破壊の検知が行える。
【０００９】
請求項２の発明では、請求項１の発明において、前記窓体が前記窓開口部に２枚嵌められる引き違い戸型の窓体であって、前記センサ本体は屋内側に位置する窓体の出合い框の前面に設置され、前記集音手段が左右両側方向に指向性を持つものであることを特徴とする。
【００１０】
請求項２によれば、引き違い戸を窓体として用いる窓にあっても、一つで複数の窓ガラスの破壊検知が行え、そのため設置コストが安価となる。
【００１１】
請求項３の発明では、請求項２の発明において、前記検知手段の検知信号を無線信号で発信する無線発信手段を前記センサ本体に具備していることを特徴とする。
【００１２】
請求項３の発明によれば、検知信号を設置場所から離れた場所へ発信することができるものであって、しかも複数の窓ガラスのガラス破壊検知に無線発信手段が一つで済むため、設置数が増えても設置コストを抑えることができる。
【００１３】
請求項４の発明では、請求項１乃至３の発明では、前記集音手段で集音された音信号から設置場所周囲の音環境を監視し、前記検知手段の検知レベルを前記音環境に基づいて更新設定するモニタ手段をセンサ本体に備えていることを特徴とする。
【００１４】
請求項４の発明によれば、生活雑音等検知に影響を与える設置場所周囲の雑音の多少に応じて最適な検知レベルに自動的に設定できるため、誤動作や失報を防ぐことができる。
【００１５】
請求項５の発明では、請求項１，２，４の何れかの発明において、前記集音手段及び検知手段を内蔵した前記センサ本体と、使用形態に応じた機能を備えている複数種の機能モジュールとからなり、使用形態に応じた機能モジュールを選択して機械的電気的に着脱自在に前記センサ本体に結合して成ることを特徴とする。
【００１６】
請求項５の発明によれば、使用形態に応じた機能を付加することができる。
【００１７】
請求項６の発明では、請求項１乃至５の何れかの発明において、前記検知手段に、前記窓体に付設されるクレセント錠の施錠／解錠状態を検知するクレセントセンサの検知出力を取り込んで侵入者検知を行う検知機能を備えていることを特徴とする。
【００１８】
請求項６の発明によれば、クレセント錠の解錠検知による侵入者検知も行える複合型検知器として機能し、そのため侵入者検知能力が向上し、また検知手段を共用化するためそれぞれを別個に設ける場合に比してコストも安価となる。
【００１９】
請求項７の発明では、請求項１乃至５の何れかの発明において、前記検知手段に、前記窓体の開閉状態を検知する窓開閉センサの検知出力を取り込んで侵入者検知を行う検知機能を備えていることを特徴とする。
【００２０】
請求項７の発明によれば、請求項６の発明によれば、窓センサによる窓体の開閉検知による侵入者検知も行える複合型検知器として機能し、そのため侵入者検知能力が向上し、また検知手段を共用化するためそれぞれの検知手段を別個に設ける場合に比してコストも安価となる。
【００２１】
請求項８の発明では、請求項１乃至５の何れか記載の発明において、前記検知手段に、前記窓体に付設されるクレセント錠の施錠／解錠状態を検知するクレセントセンサの検知出力と、前記窓体の開閉状態を検知する窓開閉センサの検知出力とを取り込んで各検知出力に基づいて侵入者検知を行う検知機能を備えていることを特徴とする。
【００２２】
請求項８の発明によれば、クレセント錠の解錠検知による侵入者検知と窓センサによる窓体の開閉検知による侵入者検知も行える複合型検知器として機能し、そのため侵入者検知能力が向上し、また検知手段を共用化するためそれぞれの検知手段を別個に設ける場合に比してコストも安価となる。
【００２３】
請求項９の発明では、請求項８記載の発明において、前記クレセントセンサの施錠状態を示す検知出力若しくは前記窓開閉センサの窓体が閉じられていることを示す検知出力又は両センサの前記検知出力があるとき、ガラス破壊検知の動作を開始させる手段を備えていることを特徴とする。
【００２４】
請求項９の発明によれば、窓が開いている状態や、クレセント錠が解錠されている状態のようにガラス破壊の検知動作が不要な状態での無駄な動作を無くすことが自動的にでき、その結果無駄な電力消費を無くすことができ、電源として電池電源を使用している場合には電池電源の長寿命化が図れる。
【発明の効果】
【００２５】
本発明は、センサ本体を直接窓ガラスに貼り付けないため、窓体を窓開口部に嵌め殺す窓や、引き違い戸型の窓体を窓開口部に嵌めた窓など窓の種類によるセンサ本体の形状制約が無く、しかも窓ガラス近傍に設置するためガラス破壊の検知感度を高くする必要がなくなり、そのため生活雑音の影響を受けないガラス破壊検知ができ、またカーテンの位置より窓側で設置することになるため、カーテンの有無に左右されないガラス破壊の検知が行えるという効果がある。
【発明を実施するための最良の形態】
【００２６】
以下本発明を実施形態により説明する。
（実施形態１）
本実施形態を図１乃至図３により説明する。
【００２７】
本実施形態のセンサ本体１は図１に示すように直方体状に形成され、その内部に図３に示す回路を構成する構成要素を内蔵したもので、図２に示すように造営物の壁に開口された窓開口部２に嵌め込まれた引き違い戸型の窓体３，３の内、屋内側の窓体３の出合い框３ａの前面に、クレセント錠４近傍の位置に両面型の感圧接着テープを用いた貼り付けによって設置される。勿論框を挟み込むような手段を用いて設置するようにしても良く、感圧接着テープには限定されるものではない。ここでセンサ本体１は左右方向の幅寸法を取付対象となる出合い框３ａの左右幅寸法以下とし、外部からセンサ本体１が容易には見えないようしてある。
【００２８】
センサ本体１に内蔵される回路は、集音手段として超音波周波数域にも対応した２つのマイクロフォン１１，１１からなる集音部１０と、この集音部１０のマイクロフォン１１，１１で集音されて電気的な信号として変換された音信号を増幅する増幅部１２と、増幅部１２で増幅された音信号からガラス破壊発生する特有の周波数帯域、例えば２０ｋＨｚ〜４０ｋＨｚの第１の周波数成分と、１５０ｋＨｚ〜２００ｋＨｚの第２の周波数成分とを抽出する音解析部１３と、音解析部１３から抽出された第１，第２の周波数成分の信号レベルを内蔵したＡ／Ｄ変換器でデジタル変換して取り込み、取り込んだ両信号レベルが、それぞれの周波数成分に対応して予め設定されている基準信号レベルを越えるとガラス破壊と判断して検知信号を出力する検知機能を備えているＣＰＵ部１４と、このＣＰＵ部１４から検知信号が出力されると、圧電ブザー１５ａと表示用ＬＥＤ１５ｂを駆動する出力部１５と、ＣＰＵ部１４に基準クロックを与えるクロック発振部１６とからなり、動作電源としてセンサ本体１に内蔵される電池電源からなる電源部１７を設けている。
【００２９】
ここで集音部１０の２つのマイクロフォン１１，１１はセンサ本体１の両側面に開口している集音孔５、５に対応するようにセンサ本体１内で左右両側に配置され、上記のようにセンサ本体１が窓体３の出合い框３ａに設置されたときに左側のマイクロフォン１１は左方向に、右側のマイクロフォン１１は右方向にそれぞれ指向性を持ち、図２で示す半円内をそれぞれの集音エリアＡ１，Ａ２としている。つまり２つのマイクロフォン１１，１１からなる集音部１０は、２枚の窓体３、３が閉じられたときに、それぞれの窓体３の窓ガラス６に対応する指向性を持つことになり、一つのガラス破壊検知器で左右２枚の窓ガラス６，６の破壊を検知できるようになっている。
【００３０】
上記出力部１５の圧電ブザー１５ａはセンサ本体１の前面に開口している音出し孔７の裏側に取り付けられ、また表示用ＬＥＤ１５ｂはセンサ本体１の側面にセンサ本体１の内部からその頭部を露出させている。またセンサ本体１の前面には電源部１７から各部への電源供給をオンオフする電源スイッチ１８の操作部を露出させている。
【００３１】
而して本実施形態のガラス窓破壊検知器の使用に当たっては、まず引き違い戸型の窓体３、３を閉じるとともにクレセント錠４を施錠した後、電源スイッチ１８をオンすれば良く、電源スイッチ１８のオンにより窓破壊検知に対する警戒動作状態に入ることになる。この警戒動作状態中において、ガラス窓６，６の何れかが破壊されると、このときに発生する破壊音が対応するマイクロフォン１１により集音されて電気的信号として音信号に変換され、増幅部１１により増幅される。そしてガラス破壊時に発生する特有の上述の２つの周波数成分の音信号が音解析部１２から抽出され、この抽出された２つの周波数成分の信号のレベルと対応する基準信号レベルとをＣＰＵ部１３が比較して抽出された両周波数成分の信号が共に基準信号レベル以上あると、ガラス破壊と判断して検知信号を出力部１５へ出力する。出力部１５は検知信号が入力すると、圧電ブザー１５ａを鳴動させて警報を発するとともに表示用ＬＥＤ１５ｂを点灯若しくは点滅させて表示する。尚警報を停止させたい場合には電源スイッチ１８をオフすれば良く、このオフ後再度オンすればＣＰＵ部１４がリセットされて再び警戒動作状態となる。
【００３２】
ここで窓ガラス６近傍で集音するため、本実施形態では、生活雑音が入りにくくなるため、基準信号レベルを低く設定してある。勿論基準信号レベルを外部から設定できる手段を設け、設置環境に応じてユーザーが設定するようにしても良い。
【００３３】
またＣＰＵ部１３にモニタ機能を設け、自動的に基準信号レベルを設置場所周囲の音環境に応じて更新するようにしても良い。この場合ＣＰＵ部１３の制御の下で、一定時間（例えば１０分）毎に音解析部１２において生活音検知周波数（例えば２ｋＨｚ）を抽出させ、その抽出した音信号のレベルをＣＰＵ部１３で観測し、その音信号のレベルが連続してｎ回（例えばｎ＝３）、予め設定している所定値を下回れば、生活者が不在若しくは就寝中であるとＣＰＵ部１３は判断し、基準信号レベル（Ｘ０）をΔＸだけ下げる処理を行い、一定時間毎の観測において、一度でも前記所定値を上回れば基準信号レベルを基のあいたＸ０に復帰させるというような基準信号レベルの自動設定を行うようにする。
【００３４】
更にまた出力部１５としては圧電ブザー１５ａや表示用ＬＥＤ１５ｂを駆動するもの以外に、別置の警報装置（図示せず）に対して検知信号を電波や光信号からなる無線信号で発信させる無線発信手段や、接点のオン／オフ信号からなる無電圧接点出力を有線で発信する有線発信手段で構成される出力部やこれら出力部に圧電ブザー１５ａや表示用ＬＥＤ１５ｂを駆動する機能を備えた出力部を用いても良い。
【００３５】
また、
（実施形態２）
上記実施形態１では、集音部１０を２つのマイクロフォン１１、１１で構成して左右方向に指向性を持たせていたが、本実施形態では集音部１０を一つのマイクロフォンで構成するものである。
【００３６】
つまり、本実施形態では、図４（ａ）（ｂ）に示すようにセンサ本体１の上面前部より突出部８を一体形成し、この突出部８の背面に集音孔５を開口するとともに、突出部８の内部に左右両側方向に指向性を持つ一つのマイクロフォン１１を収納する構成としたもので、実施形態１と同様に図２に示す如く窓体３の出合い框３ａの前面にセンサ本体１の背面１ａを例えば両面型の感圧接着テープで貼り付けたときに出合い框３ａの前面と突出部８との間に空間が形成され、この空間を介して突出部８内のマイクロフォン１１が左右の窓ガラス６，６方向からの音を捉えるができるようになっている。
【００３７】
尚一つのマイクロフォン１１で構成した集音部１０以外の構成は実施形態１と同じであり、また検知動作も同じであるので、図２において同じ構成要素には同じ符号を付し、回路の図示及びその説明は省略する。
【００３８】
而して本実施形態では、一つのマイクロフォン１１で左右両側の窓ガラス６，６の破壊を検知することができ、コストの低減が図れることになる。
【００３９】
（実施形態３）
上記実施形態１，２は何れもが窓体３の出合い框３ａの前面にセンサ本体１を取り付けるものであったが、本実施形態は、図５（ａ）に示すように窓開口部２の中央上方の壁面Ｗに取り付ける場合に対応したものであって、正面形状が台形状のセンサ本体１を用い、両側の下向き傾斜壁にそれぞれ集音孔５、５を図５（ｂ）（ｃ）に示すように開口し、各集音孔５に対応する傾斜壁の裏側にマイクロフォン１１を設け、また下面中央部にはセンサ本体１内に設けた圧電ブザー１５ａに対応する音出し孔７を設け、また電源スイッチ１８の操作部を露出させている。
【００４０】
尚その他の構成は実施形態１と同じであり、また検知動作も同じであるので、図５において同じ構成要素には同じ符号を付し、回路の図示及びその説明は省略する。
【００４１】
而して本実施形態では、図５（ａ）に示すように窓開口部２の中央上方で且つ窓開口部２の近傍の壁面Ｗに、傾斜壁が下向きとなるようにセンサ本体１を取り付ける。ここで両側のマイクロフォン１１，１１の指向性を、窓開口部２に嵌め込まれている引き違い戸型の２枚の窓体３を閉めた状態でそれぞれの窓ガラス６，６に対応する斜め下方向に持たせ、これら窓ガラス６，６の破壊音を捉えることができるようにしている。
【００４２】
（実施形態４）
ところで実施形態１，２のガラス破壊検知器は、センサ本体１内に回路の構成要素を内蔵して所定の仕様に対応させたものであるが、例えば無線信号で検知信号を発信するだけの仕様や、或いは検知信号を無電圧接点出力として有線で発信させるだけで良い仕様、更には外部に検知信号を発信する必要が無く、圧電ブザーで警報を発報するだけ良い仕様、更に使用する電源部１７として電池電源以外にＡＣ／DC変換を行う電源を用いる仕様など各種仕様に対応させる場合、ケース本体１内にそれぞれの仕様に対応した回路構成要素を内蔵させたガラス破壊検知器を製作しなければならない。そこで本実施形態は、図６に示すように、集音部１０のマイクロフォン１１，１１と、増幅部１２，音解析部１３、ＣＰＵ部１４，クロック発振部１６及び電源スイッチ１８からなる基本構成をセンサ本体１と、このセンサ本体１の平断面の寸法と平断面の寸法を同じモジュール寸法で形成した筐体２０ａ内に電池電源或いはＡＣ／ＤＣ変換を行う電源を内蔵した電源用機能モジュール２１ａと、前記筐体２０ａと同じモジュール寸法で形成した筐体２０ｂ内にＣＰＵ部１４からの検知信号を電波（或いは赤外線等の光）で発信する無線発信手段、ＣＰＵ部１４からの検知信号を無電圧接点出力に変換して有線により発信する有線発信手段、検知信号が入力すると圧電ブザーを鳴動させる駆動手段の何れかの手段からなる出力部１５を内蔵した出力用機能モジュール２１ｂ＜図６では圧電ブザー１５ａを駆動する出力部１５を内蔵したものを示す＞とをそれぞれ予め準備し、仕様に応じてセンサ本体１をベースとしてこれらモジュール２１ａ，２１ｂを結合することで所望の仕様によるガラス破壊検知器を得るようにしたものである。
【００４３】
ここでセンサ本体１の下面には電源用機能モジュール２１ａの上面に設けてある機械的電気的に結合するための金属製のスナップ釦様の結合部２２ａと着脱自在に結合し、電源用機能モジュール２１ａを機械的に保持するとともに、結合部２２ａ及び電極２３ａを通じて電源用機能モジュール２１ａ内の電源の出力にセンサ本体１内の回路の電源供給路を電気的に接続し且つ電源用機能モジュール２１ａ内に配線されているＣＰＵ部１４からの検知信号を通す信号路にＣＰＵ部１４の検知信号出力ポートを電気的にする被結合部（図示せず）を設けてある。
【００４４】
また電源用機能モジュール２１ａの下面には出力用機能モジュール２１ｂの上面に設けてある機械的電気的に結合するための金属製の結合部２２ｂと着脱自在に結合し、出力モジュール２１を機械的に保持するとともに、結合部２２ｂ及び電極２３ｂを通じて出力用機能モジュール２１ｂ内の回路の検知信号入力端に前記検知信号の信号路を電気的に接続し且つ出力用機能モジュール２１ｂ内の回路の電源供給路に電源の出力を電気的に接続する被結合部（図示せず）を設けてある。尚上述の構成以外で実施形態１の構成要素と同じ構成要素には同じ符号を付している。
【００４５】
而して本実施形態では、使用したい電源を内蔵した電源用機能モジュール２１ａと、ＣＰＵ部１４からの検知信号を受けて出す出力形態に対応した出力部１５を内蔵した出力用機能モジュール２１ｂとを選択して、センサ本体１の下面に電源用機能モジュール２１ａを、電源用機能モジュール２０の下面に出力用機能モジュール２１ｂを順次結合することで、所望する仕様のガラス破壊検知器が得られることになる。
【００４６】
（実施形態５）
ところで、ガラス破壊検知器以外に窓に取り付けられる防犯関係の検知器としては、窓体の開閉状態を検知する窓開閉センサや、窓体に設けられたクレセント錠の施錠／解錠を検知するクレセントセンサがある。
【００４７】
一方窓体が開いている状態や、クレセント錠が解錠されている状態では侵入者はガラス窓を割ることなしに屋内へ侵入できるため、このような状態でガラス破壊検知器を警戒動作状態に設定してもあまり意味が無く、無駄な電力消費につながることになる。
【００４８】
そこで本実施形態のガラス破壊検知器には、ガラス破壊検知以外に、クレセントセンサＳ１、窓開閉センサＳ２の機能を持たせるとともに、両センサＳ１、Ｓ２の検知信号に基づいてガラス破壊検知の警戒動作の設定／解除を自動的に行う機能を持たせてある。
【００４９】
つまり図７に示すように直方体状のセンサ本体１のクレセント錠４側の側部の背面の上下位置から後方に突出する突出部９ａ，９ｂを形成し、上側の突出部９ａ内にクレセントセンサＳ１用のリードスイッチ１９ａを，下側の突出部９ｂ内に窓開閉センサＳ２用のリードスイッチ１９ｂを内蔵してある。
【００５０】
ここで各突出部９ａ、９ｂはセンサ本体１を窓体３の出合い框３ａの前面に取り付けたときに出合い框３ａの側面に沿わせ突出部９ａ、９ｂを配置する。このとき上側の突出部９ａの位置は、施錠状態にあるクレセント錠４のクレセントレバー４ａの裏面に貼り付けている或いは内蔵しているマグネット３０ａにリードスイッチ１９ａが近接する位置とする。また下側の突出部９ａの位置を、閉じられている状態にある窓体３のガラス窓６に貼り付けてあるマグネット３０ｂにリードスイッチ１９ｂが近接する位置とする。
【００５１】
従って、図７に示すようにクレセントレバー４ａが施錠位置にあると、突出部９ａ内のリードスイッチ１９ａがクレセントレバー９ａ側のマグネット３０ａの磁力で駆動されて接点部の開閉状態を通常状態から反転する。そしてクレセントレバー４ａが解錠位置にあると、リードスイッチ１９ａはマグネット３０ａの磁力が及ばないため接点部の開閉状態を通常状態とする。つまりリードスイッチ１９ａとマグネット３０ａとでクレセントセンサＳ１を構成する。
【００５２】
同様に窓体３，３が閉じられている状態では、突出部９ｂ内のリードスイッチ１９ｂが窓ガラス６に貼り付けているマグネット３０ｂの磁力で駆動されて接点部の開閉状態を通常状態から反転する。そして窓体３が開くとリードスイッチ１９ａはマグネット３０ａの磁力が及ばないため接点部の開閉状態を通常状態とする。つまりリードスイッチ１９ｂとマグネット３０ｂとで窓開閉センサＳ２を構成する。
【００５３】
このようにしてリードスイッチ９ａの接点部の開閉状態を検知することで、クレセント錠４の施錠／解錠状態を検知することができ、またリードスイッチ９ａの接点部の開閉状態を検知することで、窓体３，３の開閉状態を検知することができるのである。
【００５４】
これらのセンサＳ１、Ｓ２の検知出力は図８に示すようにガラス破壊検知に用いるＣＰＵ部１４にリードスイッチ９ａ、９ｂの接点出力として取り込まれ、例えば窓体３，３が閉じられている状態でクレセント錠４が解錠されたことが検知された場合にはＣＰＵ部１４は窓ガラス８がガラスカッターで切り取られた後にクレセント錠４が解錠されたと判断し、出力部１５を通じて圧電ブザー１５ａを鳴動させ、また表示用ＬＥＤ１５ｂを点灯（点滅）させて侵入者に対する警報を発する。また出力部１５として無線発信手段や有線発信手段を用いている場合には無線や有線で検知信号を警報装置（図示せず）へ発信する。
【００５５】
また窓体３，３が開いている状態にあるのにクレセント錠４が施錠状態にあれば、空錠状態と判断し、出力部１５を通じて圧電ブザー１５ａを鳴動させ、また表示用ＬＥＤ１５ｂを点灯（点滅）させて報知する。出力部１５として無線発信手段や有線発信手段を用いている場合には無線や有線で検知信号を警報装置（図示せず）へ発信する。
【００５６】
そしてリードスイッチ９ａがクレセント錠４の施錠状態を示し、且つリードスイッチ９ｂが窓体３，３が閉じられている状態を示す場合になったときにＣＰＵ部１４はガラス破壊検知の警戒状態に増幅部１２，音解析部１３を自動的に設定し、ガラス破壊検知が不要な状態での電力消費を抑制する制御を行う。
【００５７】
上述以外のガラス破壊検知に対応する構成及び動作は実施形態１と同じであるので、図７，図８において同じ構成要素には同じ符号を付し、説明は省略する。
【００５８】
このようにして本実施形態では、クレセントセンサＳ１及び窓開閉センサＳ２の機能を備えた複合型検知器として働き、これらのセンサＳ１、Ｓ２の状態に応じて発報を行う機能をガラス破壊検知に用いるＣＰＵ部１４、出力部１５で兼用させることで、コストの低減と回路構成の簡単化を図り、しかもこれら両センサＳ１，Ｓ２を利用してガラス破壊検知に対応する回路動作を制御し、省電力化を図っている。
【００５９】
尚上記実施形態では、クレセントセンサＳ１と窓開閉センサＳ２とを付加した構成であるが、何れか一方のセンサを加えたものであっても良い。
【図面の簡単な説明】
【００６０】
【図１】実施形態１の取り付け状態を示す一部省略した斜視図である。
【図２】同上の窓体への取り付け状態を示す窓開口部の縮小正面図である。
【図３】同上の回路構成図である。
【図４】実施形態２を示すものであって、（ａ）は窓体への取り付け状態を示す一部省略した斜視図、（ｂ）は背方からみた斜視図である。
【図５】実施形態３を示すものであって、（ａ）は下面図、（ｂ）は斜視図、（ｃ）は窓体への取り付け状態を示す窓開口部の縮小正面図である。
【図６】実施形態４の分解斜視図である。
【図７】実施形態５の取り付け状態を示す一部省略した斜視図である。
【図８】同上の回路構成図である。
【符号の説明】
【００６１】
１  センサ本体
３  窓体
３ａ  出合い框
４  クレセント錠
５  集音孔
６  窓ガラス
７  音出し孔
１５ａ  圧電ブザー
１５ｂ  表示用ＬＥＤ
１８  電源スイッチ
【図１】
2005078499.tif 000003
【図２】
2005078499.tif 000004
【図３】
2005078499.tif 000005
【図４】
2005078499.tif 000006
【図５】
2005078499.tif 000007
【図６】
2005078499.tif 000008
【図７】
2005078499.tif 000009
【図８】
2005078499.tif 000010